(57)【要約】【課題】本発明はインキローラー、ブランケットローラーに付着したインキ成分や水不溶性成分を除去する高い洗浄性とゴムローラーの低膨潤性を付与したインキローラー、ブランケットローラー洗浄剤を提供することを課題とする。【解決手段】下記一般式(Ｉ)を含有することを特徴とする平版印刷機用インキローラー洗浄剤、及びブランケットローラー洗浄剤。但し、Ｒ１は水素原子又はメチル基、Ｒ２は水素原子又は炭素原子１〜４のアルキル基を表し、ｍは１〜３の整数を表す。  【化１】2017094663.tif 000012【選択図】なし【特許請求の範囲】
【請求項１】
下記一般式（Ｉ）を含有することを特徴とする平版印刷機用インキローラー洗浄剤、及びブランケットローラー洗浄剤。
【化１】
2017094663.tif 000010
（但し、Ｒ１は水素原子又はメチル基、Ｒ２は水素原子又は炭素原子１〜４のアルキル基を表し、ｍは１〜３の整数を表す。）
【請求項２】
更に、下記一般式（ＩＩ）、及び／又は石油系炭化水素を含有する請求項１に記載の平版印刷機用インキローラー洗浄剤、及びブランケットローラー洗浄剤。    
【化２】
2017094663.tif 000011
（但し、Ｒ3は水素原子又はメチル基、Ｒ４は水素原子又は炭素原子１〜４のアルキル基を表し、ｎは１〜３の整数を表す。）
【発明の詳細な説明】
【技術分野】
【０００１】
本発明は、平版印刷機のローラー洗浄に使用される洗浄剤であって、特にＵＶインキを使用するオフセット印刷におけるインキローラー、及びブランケットローラーの洗浄に適したものに関する。
【背景技術】
【０００２】
平版印刷版を用いたオフセット印刷法は、水とインキが混じり合わない性質を利用した印刷方式であり、印刷版面は、水を受容してインキを反発する部分と、水を反発しインキを受容する部分とからなる。前者が非画線部で、後者が画線部である。その印刷版の画像（画線部）が一旦、ブランケットに転写され、転写された画像がさらに印刷用紙に転写される事によって印刷される。
【０００３】
一般的にインキローラーは鉄製ローラーの表面に銅メッキを施して親油化処理を施したものと、ゴムローラーとが交互に配列されており、版面まで連続的にインキを供給している。また、近年は銅メッキローラーの替わりに腐食のおそれのないセラミック製のローラーやゴムローラーの素材として、ウレタン樹脂製のローラーも普及している。
【０００４】
また、ブランケットローラーは材質として、ニトリルゴム（ＮＢＲ）やエチレンプロピレンゴム（ＥＰＤＭ）等が一般的に使用されている。
【０００５】
紫外線硬化型平版インキ（従来型ＵＶオフセットインキ）を用いたオフセット印刷は、従来、光源として低圧、高圧水銀灯、キセノンランプ、メタルハライドランプ等の紫外線ランプ（ＵＶランプ）が硬化システムとして広く用いられてきた。一方で近年、環境保全の観点から、より低照射エネルギー条件下で良好に硬化させることが可能な新しい紫外線硬化型インキが注目されている。低照射エネルギー条件とは、照射される紫外線エネルギー量が従来よりも明確に少ない条件全般を指しており、例えば紫外線発光ランプの入力電力を削減する、もしくはランプ使用灯数を削減する、といった既存紫外線ランプを利用する方法に加え、近年注目される紫外線発光ダイオード光源（ＵＶ−ＬＥＤ）や低消費電力の紫外線蛍光ランプ、その他特殊紫外線ランプ等を含めた様々な紫外線照射光源が用いられてきている。低照射エネルギー条件下でも良好な乾燥性を得る為に従来型ＵＶオフセットインキとは異なる成分組成を有する紫外線硬化型インキ（いわゆる省電力型ＵＶオフセットインキ）を別途使用している。省電力型ＵＶオフセットインキに用いられるアミン系増感剤等の光重合開始剤やアクリル樹脂の量は従来型ＵＶオフセットインキと比較して、低照射エネルギーでも硬化出来るように組成比率が高くなっている。この光重合開始剤やアクリル樹脂は極性比率が高いため、従来使用していたＵＶオフセットインキローラー洗浄剤の成分である石油系炭化水素溶剤への溶解性が極めて低く、色替え作業やローラー洗浄時に残留してしまい、インキローラーやブランケットローラーの洗浄剤回数の増加等の作業上の負担が増す要因と成っていた（例えば特許文献１〜４）。  
【０００６】
従来型ＵＶオフセットインキローラー洗浄剤は石油系溶剤に代表される混合溶剤が使用されており、これら溶剤中には発がん性の危険を有するナフタレンや有機溶剤中毒予防規則に該当する成分が多く含まれていることから作業環境上，安全衛生上の問題があった。加えて、省電力型ＵＶインキへの溶解性が低いため、ローラー洗浄回数が増加する課題があった。
以上のことから作業環境上，安全衛生上の問題がなく、ＵＶインキローラー、ブランケットローラーの洗浄性に優れ、短時間で洗浄可能な洗浄剤が求められている。
本発明は作業環境上，安全衛生上に優れ、且つ、従来型ＵＶオフセットインキや省電力型ＵＶオフセットインキでもインキローラー、ブランケットローラーの洗浄性が良好なローラー洗浄剤を提供することである。
【先行技術文献】
【特許文献】
【０００７】
【特許文献１】特開２００８−２６５０４５号公報
【特許文献２】特開２００６−１８２８２４号公報
【特許文献３】特開２００１−３４１４５７号公報
【特許文献４】特許３７８９０２９号公報
【発明の概要】
【発明が解決しようとする課題】
【０００８】
本発明はインキローラー、ブランケットローラーに付着したインキ成分や水不溶性成分を除去する高い洗浄性とゴムローラーの低膨潤性を付与したインキローラー、ブランケットローラー洗浄剤を提供することを課題とする。
【課題を解決するための手段】
【０００９】
本発明者らは、前記した課題を解決するために鋭意研究を重ねた結果、特定のグリコールエステル系溶剤を採用することで、上記課題を達成できることを見出し、本発明に至った。
【００１０】
即ち、本発明は、
下記一般式（Ｉ）を含有することを特徴とする平版印刷機用インキローラー洗浄剤、及びブランケットローラー洗浄剤を提供するものである。
但し、Ｒ１は水素原子又はメチル基、Ｒ２は水素原子又は炭素原子１〜４のアルキル基を表し、ｍは１〜３の整数を表す。
【００１１】
【化１】
2017094663.tif 000002
【００１２】
本発明は、更に下記一般式（ＩＩ）、及び／又は石油系炭化水素を含有する平版印刷機用インキローラー洗浄剤、及びブランケットローラー洗浄剤をも提供する。
但し、Ｒ３は水素原子又はメチル基、Ｒ４は水素原子又は炭素原子１〜４のアルキル基を表し、ｎは１〜３の整数を表す。  
【００１３】
【化２】
2017094663.tif 000003
【発明の効果】
【００１４】
本発明により、インキローラー、ブランケットローラーに付着したＵＶインキ成分や水不溶性成分を除去する高い洗浄性とゴムローラーの低膨潤性を兼備したインキローラー洗浄剤、及びブランケットローラー洗浄剤を提供する。
【発明を実施するための形態】
【００１５】
本発明について詳細に説明する。なお以下の説明で用いる「ローラー洗浄剤」とは全て「従来型ＵＶオフセットインキや省電力型ＵＶオフセットインキを用いたオフセット印刷で使用するインキローラー、ブランケットローラー洗浄剤」を示す。また、「％」は全て「重量％」を、「部」とは全て「重量部」を示す。
【００１６】
本発明の平版印刷機用ローラー洗浄剤は、下記一般式（Ｉ）を含有することを必須とする。
【００１７】
【化３】
2017094663.tif 000004
但し、Ｒ１は水素原子又はメチル基、Ｒ２は水素原子又は炭素原子１〜４のアルキル基を表し、ｍは１〜３の整数を表すものを対象とする。
【００１８】
上記一般式（Ｉ）で示される具体例として、エチレングリコールアセテート、ジエチレングリコールアセテート、トリエチレングリコールアセテート、エチレングリコールモノメチルエーテルアセテート、ジエチレングリコールモノメチルエーテルアセテート、トリエチレングリコールモノメチルエーテルアセテート、エチレングリコールモノエチルエーテルアセテート、ジエチレングリコールモノエチルエーテルアセテート、トリエチレングリコールモノエチルエーテルアセテート、エチレングリコールモノプロピルエーテルアセテート、ジエチレングリコールモノプロピルエーテルアセテート、トリエチレングリコールモノプロピルエーテルアセテート、エチレングリコールモノイソプロピルエーテルアセテート、ジエチレングリコールモノイソプロピルエーテルアセテート、トリエチレングリコールモノイソプロピルエーテルアセテート、エチレングリコールモノブチルエーテルアセテート、ジエチレングリコールモノブチルエーテルアセテート、トリエチレングリコールモノブチルエーテルアセテート、エチレングリコールモノイソブチルエーテルアセテート、ジエチレングリコールモノイソブチルエーテルアセテート、トリエチレングリコールモノイソブチルエーテルアセテート、エチレングリコールモノターシャリーブチルエーテルアセテート、ジエチレングリコールモノターシャリーブチルエーテルアセテート、トリエチレングリコールモノターシャリーブチルエーテルアセテート、プロピレングリコールアセテート、ジプロピレングリコールアセテート、トリプロピレングリコールアセテート、プロピレングリコールモノメチルエーテルアセテート、ジプロピレングリコールモノメチルエーテルアセテート、トリプロピレングリコールモノメチルエーテルアセテート、プロピレングリコールモノエチルエーテルアセテート、ジプロピレングリコールモノエチルエーテルアセテート、トリプロピレングリコールモノエチルエーテルアセテート、プロピレングリコールモノプロピルエーテルアセテート、ジプロピレングリコールモノプロピルエーテルアセテート、トリプロピレングリコールモノプロピルエーテルアセテート、プロピレングリコールモノイソプロピルエーテルアセテート、ジプロピレングリコールモノイソプロピルエーテルアセテート、トリプロピレングリコールモノイソプロピルエーテルアセテート、プロピレングリコールモノブチルエーテルアセテート、ジプロピレングリコールモノブチルエーテルアセテート、トリプロピレングリコールモノブチルエーテルアセテート、プロピレングリコールモノイソブチルエーテルアセテート、ジプロピレングリコールモノイソブチルエーテルアセテート、トリプロピレングリコールモノイソブチルエーテルアセテート、プロピレングリコールモノターシャリーブチルエーテルアセテート、ジプロピレングリコールモノターシャリーブチルエーテルアセテート、トリプロピレングリコールモノターシャリーブチルエーテルアセテート等が挙げられる。
【００１９】
これらの化合物の中で洗浄性を考慮した場合より好ましくは、エチレングリコールモノエチルエーテルアセテート、ジエチレングリコールモノエチルエーテルアセテート、エチレングリコールモノプロピルエーテルアセテート、ジエチレングリコールモノプロピルエーテルアセテート、エチレングリコールモノブチルエーテルアセテート、ジエチレングリコールモノブチルエーテルアセテート、トリエチレングリコールモノブチルエーテルアセテート、プロピレングリコールモノメチルエーテルアセテート、ジプロピレングリコールモノメチルエーテルアセテート、プロピレングリコールモノエチルエーテルアセテート、ジプロピレングリコールモノエチルエーテルアセテート、プロピレングリコールモノプロピルエーテルアセテート、ジプロピレングリコールモノプロピルエーテルアセテート、プロピレングリコールモノブチルエーテルアセテート、ジプロピレングリコールモノブチルエーテルアセテート等が挙げられる。
【００２０】
本発明のローラー洗浄剤に用いる一般式（Ｉ）成分としては、洗浄剤全量の５％以上含有することが好ましく、５％未満である場合は洗浄性が低下する。
【００２１】
更に、本発明のローラー洗浄剤は、下記一般式（ＩＩ）を含有してもよい。但し、Ｒ３は水素原子又はメチル基、Ｒ４は水素原子又は炭素原子１〜４のアルキル基を表し、ｎは１〜３の整数を表す。
【００２２】
【化４】
2017094663.tif 000005
【００２３】
上記一般式（ＩＩ）で示される具体例として、エチレングリコール、ジエチレングリコール、トリエチレングリコール、エチレングリコールモノメチルエーテル、ジエチレングリコールモノメチルエーテル、トリエチレングリコールモノメチルエーテル、エチレングリコールモノエチルエーテル、ジエチレングリコールモノエチルエーテル、トリエチレングリコールモノエチルエーテル、エチレングリコールモノプロピルエーテル、ジエチレングリコールモノプロピルエーテル、トリエチレングリコールモノプロピルエーテル、エチレングリコールモノイソプロピルエーテル、ジエチレングリコールモノイソプロピルエーテル、トリエチレングリコールモノイソプロピルエーテル、エチレングリコールモノブチルエーテル、ジエチレングリコールモノブチルエーテル、トリエチレングリコールモノブチルエーテル、エチレングリコールモノイソブチルエーテル、ジエチレングリコールモノイソブチルエーテル、トリエチレングリコールモノイソブチルエーテル、エチレングリコールモノターシャリーブチルエーテル、ジエチレングリコールモノターシャリーブチルエーテル、トリエチレングリコールモノターシャリーブチルエーテル、プロピレングリコール、ジプロピレングリコール、トリプロピレングリコール、プロピレングリコールモノメチルエーテル、ジプロピレングリコールモノメチルエーテル、トリプロピレングリコールモノメチルエーテル、プロピレングリコールモノエチルエーテル、ジプロピレングリコールモノエチルエーテル、トリプロピレングリコールモノエチルエーテル、プロピレングリコールモノプロピルエーテル、ジプロピレングリコールモノプロピルエーテル、トリプロピレングリコールモノプロピルエーテル、プロピレングリコールモノイソプロピルエーテル、ジプロピレングリコールモノイソプロピルエーテル、トリプロピレングリコールモノイソプロピルエーテル、プロピレングリコールモノブチルエーテル、ジプロピレングリコールモノブチルエーテル、トリプロピレングリコールモノブチルエーテル、プロピレングリコールモノイソブチルエーテル、ジプロピレングリコールモノイソブチルエーテル、トリプロピレングリコールモノイソブチルエーテル、プロピレングリコールモノターシャリーブチルエーテル、ジプロピレングリコールモノターシャリーブチルエーテル、トリプロピレングリコールモノターシャリーブチルエーテル等が挙げられる。
【００２４】
これらの化合物の中でゴム膨潤性を考慮した場合より好ましくは、エチレングリコールモノターシャリーブチルエーテル、ジエチレングリコールモノターシャリーブチルエーテル、トリエチレングリコールモノターシャリーブチルエーテル、プロピレングリコールモノメチルエーテル、ジプロピレングリコールモノメチルエーテル、トリプロピレングリコールモノメチルエーテル、プロピレングリコールモノエチルエーテル、ジプロピレングリコールモノエチルエーテル、トリプロピレングリコールモノエチルエーテル、プロピレングリコールモノプロピルエーテル、ジプロピレングリコールモノプロピルエーテル、トリプロピレングリコールモノプロピルエーテル、プロピレングリコールモノブチルエーテル、ジプロピレングリコールモノブチルエーテル、トリプロピレングリコールモノブチルエーテル、プロピレングリコールモノターシャリーブチルエーテル、ジプロピレングリコールモノターシャリーブチルエーテル等が挙げられる。
【００２５】
本発明のローラー洗浄剤に用いる一般式（ＩＩ）成分としては単独でも２種類以上を併用しても良く、洗浄剤全量の２０〜７０％含有することが好ましく、３０〜６０％含有することがより好ましい。２０％よりも少ない場合はインキの洗浄性が低下してしまう。
【００２６】
更に、本発明のローラー洗浄剤は、揮発性を高くする事で洗浄作業時間の短縮化やゴムローラーの低膨潤性を維持させることを目的として、各種石油系炭化水素を添加することがより好ましい。前記石油系炭化水素としては、炭素数６〜２０のパラフィン系炭化水素が好ましく用いられる。例示すれば、ｎ−ペンタン、イソペンタン、ｎ−ヘキサン、２−メチルペンタン、ｎ−ヘプタン、ｎ−オクタン、トリメチルペンタンなどのパラフィン系溶剤が挙げられ、シクロヘキサン、シクロヘキシルメタン、オクタデシルシクロヘキサン、メチルイソプロピルシクロヘキサンなどのナフテン系溶剤であれば、より好ましい。ＪＸ日鉱日石エネルギー株式会社製の「ＡＦソルベント４号」、「ＡＦソルベント５号」、「ＡＦソルベント６号」、「ＡＦソルベント７号」、「０号ソルベント」など、これらの溶剤の相当品や混合物も用いる事ができる。
【００２７】
更に、本発明のローラー洗浄剤は、各種添加物の可溶化性の向上、洗浄性を向上させるためにアニオン型界面活性剤やカチオン型界面活性剤、非イオン型界面活性剤などの界面活性剤を添加することが有用である。
【００２８】
アニオン型界面活性剤としては、脂肪酸塩類、ヒドロキシアルカンスルホン酸塩類、アルカンスルホン酸塩類、ジアルキルスルホ琥珀酸塩類、ポリオキシエチレンアルキルスルホフェニルエーテル塩類、Ｎ−メチル−Ｎ−オレイルタウリンナトリウム塩類、Ｎ−アルキルスルホ琥珀酸モノアミド二ナトリウム塩類、ポリオキシエチレンアルキルエーテル硫酸エステル塩類、脂肪酸モノグリセリド硫酸エステル塩類、アルキル燐酸エステル塩類、ポリオキシエチレンアルキルエーテル燐酸エステル塩類などが挙げられる。
【００２９】
カチオン型界面活性剤としては、アルキルアミン塩類、第４級アンモニウム塩類、ポリオキシエチレンアルキルアミン塩類、ポリエチレンポリアミン誘導体などが挙げられる。
【００３０】
非イオン型界面活性剤としては、ポリオキシエチレンアルキルエーテル類、ポリオキシエチレンアルキルフェニルエーテル類、ポリオキシエチレンポリスチリルフェニルエーテル類、ポリオキシエチレンポリオキシプロピレンアルキルエーテル類、ポリオキシエチレンポリオキシプロピレンブロックポリマー類、グリセリン脂肪酸部分エステル化物類、ソルビタン脂肪酸部分エステル化物類、ペンタエリスリトール脂肪酸部分エステル化物類、プロピレングリコールモノ脂肪酸エステル類、ショ糖脂肪酸部分エステル化物類、ポリオキシエチレンソルビタン脂肪酸部分エステル化物類、ポリオキシエチレンソルビトール脂肪酸部分エステル化物類、ポリエチレングリコール脂肪酸エステル類、ポリグリセリン脂肪酸部分エステル化物類、ポリオキシエチレン化ひまし油類、ポリオキシエチレングリセリン脂肪酸部分エステル化物類、脂肪酸ジエタノールアミド類、Ｎ、Ｎ−ビス−２−ヒドロキシアルキルアミン類、ポリオキシエチレンアルキルアミン類、トリエタノールアミン脂肪酸エステル類、トリアルキルアミンオキシド類などが挙げられる。
【００３１】
これら界面活性剤のローラー洗浄剤中の含有量は０．１〜１０％が好ましく、より好ましくは０．５〜７％である。
【００３２】
更に、本発明のローラー洗浄剤には親水性付与させることを目的に水溶性の有機酸や無機酸、それらの塩類を添加してもよい。
有機酸として、例えばコハク酸、クエン酸、アスコルビン酸、リンゴ酸、酒石酸、乳酸、グリコール酸、グルコン酸、シュウ酸、マロン酸、レブリン酸、フイチン酸、有機ホスホン酸、及びそれらの塩類等が挙げられる。
無機酸として、例えばリン酸、ピロリン酸及びポリリン酸に代表される縮合リン酸の他、硝酸、硫酸、及びそれらの塩類等が挙げられる。
これら化合物の平版印刷機用ローラー洗浄剤中の含有量は０．１〜５％が好ましく、より好ましくは０．２〜３％である。
【実施例】
【００３３】
以下、実施例によって本発明を具体的に説明する。以下、「部」及び「％」は、いずれも重量基準によるものとする。
【００３４】
〔平版印刷機用ローラー洗浄剤の製造方法〕
表１、２の実施例、表３、４の比較例の組成に従って水を加えて全量で１００ｇとし、ディゾルバー攪拌機にて常温（２５℃）にて混合することによって、平版印刷機用ローラー洗浄剤を作成し、実施例１〜１２、及び比較例１〜８について、以下の条件で、印刷試験機を用いてインキローラー、及びブランケットローラーの洗浄性評価を行った。使用インキは従来型ＵＶインキタイプ、省電力型ＵＶインキタイプの２種類を用いた。
【００３５】
印刷条件は以下の通りである。
印刷機：ローランド−７０４（ディック・マンローランド社製）オフセット印刷機、
印刷速度：１０，０００枚／１時間、
印刷用紙：ＯＫトップコートプラス  ５７．５ｋｇ／Ａ判、
温湿度：２３〜２４℃，５０〜６０％ＲＨ、
インキ：従来型ＵＶインキタイプ  アビリオ  プロセス  紅−Ｓタイプ（ＤＩＣグラフィックス株式会社製）、
省電力型ＵＶインキタイプ  ダイキュア  ＨＲ  Ｋ  紅−Ｓタイプ（ＤＩＣグラフィックス株式会社製）
湿し水：水道水にＰｒｅｓａｒｔｏ−ＳＨ１００  ２．０％を添加、
印刷版：ＴＰ−Ｗ（ＣＴＰ版、コダック株式会社製）。
【００３６】
（ａ）従来型ＵＶインキ洗浄性
従来型ＵＶインキを使用して印刷機の給水量の目盛り（目盛り１〜９９、給水ローラーの回転数の目盛りでもある）で印刷用紙の汚れが発生せず安定して印刷できる水目盛りを標準値として、５００枚印刷した。その後、各種洗浄剤５０ｍｌをローラー上に塗布し、１分間ローラーを回転させ、ドクターローラーを用いて溶解させたインキと洗浄剤を除去した。
インキローラーに付着したインキ成分、紙成分等の洗浄性について評価した。評価基準は次の通りである。
◎・・・インキ成分や紙粉を完全に消去できる。
○・・・インキ成分や紙粉をほぼ消去できる。
△・・・インキ成分や紙粉が残る。
×・・・インキ成分や紙粉がしっかり残ってしまう。
【００３７】
（ｂ）省電力型ＵＶインキ洗浄性
従来型ＵＶインキの要領と同様に、省電力型ＵＶインキを使用して印刷機の給水量の目盛り（目盛り１〜９９、給水ローラーの回転数の目盛りでもある）で印刷用紙の汚れが発生せず安定して印刷できる水目盛りを標準値として、５００枚印刷した。その後、洗浄剤５０ｍｌをローラー上に塗布し、１分間インキローラーを回転させ、ドクターローラーを用いて溶解させたインキと洗浄剤を除去した。インキローラーに付着したインキ成分、紙成分等の洗浄性について評価した。評価基準は次の通りである。
◎・・・インキ成分や紙粉を完全に消去できる。
○・・・インキ成分や紙粉をほぼ消去できる。
△・・・インキ成分や紙粉が残る。
×・・・インキ成分や紙粉がしっかり残ってしまう。
【００３８】
（ｃ）ブランケットローラー汚れ戻り試験
上記（ｂ）と同様の条件で５００枚印刷後、各種ローラー洗浄剤を５０ｍｌウエスに含ませ、ブランケットローラーを手拭きによりインキ成分や紙成分を除去した。洗浄した後に再印刷した時、印刷物の汚れが解消するまでの枚数について評価した。評価基準は次の通りである。
○・・・３０枚以内に汚れが回復する。
△・・・３０〜５０枚以内に汚れが回復する。
×・・・５０枚以上汚れが回復しない。
【００３９】
（ｄ）ゴムローラー膨潤性
インキローラー、及びブランケットローラーの材質であるニトリルゴム（ＮＢＲ）、ウレタンゴム、エチレンプロピレンゴム（ＥＰＤＭ）、ブランケットローラーの洗浄用途として用いる不織布をブランケットローラーに押し当てる素材であるフッ素ゴムの膨潤性について、下記試験片を平版印刷機用ローラー洗浄剤にて浸漬テストを行い、その膨潤性を評価した。浸漬条件を下記に記す。
浸漬条件：ＮＢＲ，ウレタンゴム、ＥＰＤＭ、フッ素ゴム試験片（大きさは縦１ｃｍ×横１ｃｍ×厚さ１ｍｍ）
試験サンプル：実施例、比較例に示すローラー洗浄剤１００ｍｌ
浸漬時間：室温２５℃にて７日間、試験片の膨潤率を下記に示す式で算出した。
膨潤率＝（浸漬後の重量−浸漬前の重量）／浸漬前の重量
評価基準は次の通りである。
○・・・５％未満。
△・・・５％以上１５％未満。
×・・・１５％以上。
【００４０】
【表１】
2017094663.tif 000006
【００４１】
【表２】
2017094663.tif 000007
【００４２】
【表３】
2017094663.tif 000008
【００４３】
【表４】
2017094663.tif 000009
・ジエチレングリコールモノブチルエーテルアセテート：ＫＨネオケム株式会社製
・プロピレングリコールモノメチルエーテルアセテート：ＫＨネオケム株式会社製
・エチレングリコールモノターシャリーブチルエーテル：丸善石油化学株式会社製
・プロピレングリコールモノエチルエーテル：ＫＨネオケム株式会社製
・ＡＦソルベント４号：ＪＸ日鉱日石エネルギー株式会社製（パラフィン分約２２％、ナフテン分約７８％）
・０号ソルベント：ＪＸ日鉱日石エネルギー株式会社製（パラフィン分９９％以上）
・ジアルキルスルホコハク酸ナトリウム：日本乳化剤株式会社製。
・リン酸（７０％水溶液）：日本化学工業株式会社製。  
【００４４】
一般式（Ｉ）を含有する実施例では、従来型ＵＶインキ、省電力型インキ共に洗浄性、ブランケットローラー汚れ戻り性、及びゴムローラー膨潤性が良好である事が確認できた。
【産業上の利用可能性】
【００４５】
本発明の平版印刷機用インキローラー、及びブランケットローラーは、ローラーの高い洗浄性による作業性向上、時間短縮による印刷機の生産性を向上に加え、ローラーのゴム膨潤性が低いことからローラー交換頻度低減による作業性向上にも貢献できる。